【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】  充電可能な電源部と、
前記電源部から電力の供給を受けて表示を行う表示部と、
前記電源部の出力電圧を検出する電圧検出部と、
前記電圧検出部によって検出される前記電源部の出力電圧が低下し、第１の電圧に至った場合に、前記表示部における表示を禁止する表示禁止部と、
前記電源部の出力電圧が前記第１の電圧よりも低い第２の電圧に至ったことを検出した場合に初期化処理を行う初期化部と、
前記電圧検出部によって検出される前記電源部の出力電圧が前記第２の電圧に至った後、前記第１の電圧以上の第３の電圧に至った場合に前記表示部における表示を再開させる表示許可部と、
を備えたことを特徴とする電子機器。
【請求項２】  充電可能な電源部と、
前記電源部から電力の供給を受けて表示を行う表示部と、
前記電源部の充電が行われているか否かを判定する充電検出部と、
前記電源部の出力電圧を検出する電圧検出部と、
前記電圧検出部によって検出される前記電源部の出力電圧が低下し、第１の電圧に至った場合に、前記表示部における表示を禁止する表示禁止部と、
前記表示部による表示が禁止された後、前記充電検出部による判定結果および前記電圧検出部による検出結果が所定の条件を満たしたとき、初期化処理を行う初期化部と
を備えたことを特徴とする電子機器。
【請求項３】  前記初期化部は、前記表示部による表示が禁止された後、前記電源部が充電されていることが前記充電検出部により判定され、かつ、前記電圧検出部によって検出される前記電源部の出力電圧が前記第１の電圧以上の第２の電圧に至った場合に初期化処理を行うことを特徴とする請求項２に記載の電子機器。
【請求項４】  前記初期化部は、前記表示部による表示が禁止された後、前記電源部が充電されていることが前記充電検出部により検出され、かつ、前記電圧検出部によって検出される前記電源部の出力電圧が前記第１の電圧以上の第２の電圧以上であるという条件が所定時間以上満たされたとき、初期化処理を行うことを特徴とする請求項２に記載の電子機器。
【請求項５】  前記初期化部によって前記初期化処理が行われるときに前記表示部による表示を再開する表示許可部を具備することを特徴とする請求項３または４に記載の電子機器。
【請求項６】  前記初期化部によって前記初期化処理が行われた後、前記電圧検出部によって検出される前記電源部の出力電圧が前記第２の電圧以上の第３の電圧に至った場合に前記表示部による表示を再開する表示許可部を具備することを特徴とする請求項３または４に記載の電子機器。
【請求項７】  システム情報あるいは時計情報を記憶し、前記電子機器の制御部に提供する情報記憶部を備え、
前記第２の電圧は、前記情報記憶部において、前記システム情報あるいは前記時計情報を記憶保持することが可能な電圧以上の電圧に設定されることを特徴とする請求項１〜６のいずれか１の請求項に記載の電子機器。
【請求項８】  システム情報あるいは時計情報を記憶する不揮発性記憶部と、
システム情報あるいは時計情報を記憶し、前記電子機器の制御部に提供する書換可能な情報記憶部とを備え、
前記初期化部は、前記不揮発性記憶部から前記情報記憶部に前記システム情報あるいは時計情報を転送することにより前記初期化処理を行うことを特徴とする請求項１〜６のいずれか１の請求項に記載の電子機器。
【請求項９】  充電可能な電源部と、前記電源部から電力の供給を受けて表示を行う表示部とを備えた電子機器の制御方法において、
前記電源部の出力電圧が第１の電圧に至った場合に、前記表示部による表示を禁止し、
前記電源部の出力電圧が前記第１の電圧よりも低い第２の電圧に至った場合に初期化処理を行い、
前記電源部の出力電圧が前記第２の電圧に至った後、前記第１の電圧以上の第３の電圧に至った場合に前記表示部による表示を再開させる、
ことを特徴とする電子機器の制御方法。
【請求項１０】  充電可能な電源部と、前記電源部から電力の供給を受けて表示を行う表示部とを備えた電子機器の制御方法において、
前記電源部の出力電圧が低下し第１の電圧に至った場合に、前記表示部による表示を禁止し、
前記表示部による表示が禁止された後、前記電源部が充電されており、かつ、前記電源部の出力電圧が前記第１の電圧以上の第２の電圧に至った場合に初期化処理を行うとともに前記表示部による表示を再開させる、
ことを特徴とする電子機器の制御方法。
【請求項１１】  充電可能な電源部と、前記電源部から電力の供給を受けて表示を行う表示部とを備えた電子機器の制御方法において、
前記電源部の出力電圧が第１の電圧に至った場合に、前記表示部による表示を禁止し、
前記表示部による表示が禁止された後、前記電源部が充電されており、かつ、前記電源部の出力電圧が前記第１の電圧以上の第２の電圧以上であるという条件が所定時間以上満たされたとき初期化処理を行うとともに前記表示部による表示を再開させる、
ことを特徴とする電子機器の制御方法。
【手続補正２】
【補正対象書類名】明細書
【補正対象項目名】０００５
【補正方法】変更
【補正の内容】
【０００５】
【課題を解決するための手段】
かかる目的を達成するため、この発明は、充電可能な電源部と、前記電源部から電力の供給を受けて表示を行う表示部と、前記電源部の出力電圧を検出する電圧検出部と、前記電源部の出力電圧が第１の電圧に至った場合に、前記表示部における表示を禁止する表示禁止部と、前記電圧検出部によって検出される前記電源部の出力電圧が低下し、前記第１の電圧よりも低い第２の電圧に至った場合に初期化処理を行う初期化部と、前記電圧検出部によって検出される前記電源部の出力電圧が前記第２の電圧に至った後、前記第１の電圧以上の第３の電圧に至った場合に前記表示部における表示を再開させる表示許可部とを備えたことを特徴とする電子機器を提供する。
かかる電子機器によれば、必ず表示部の表示が消えてから、初期化処理が行われるので、ユーザが知らないうちに初期化が行われるという事態を避けることができる。
また、この発明は、充電可能な電源部と、前記電源部から電力の供給を受けて表示を行う表示部と、前記電源部の充電が行われているか否かを判定する充電検出部と、前記電源部の出力電圧を検出する電圧検出部と、前記電圧検出部によって検出される前記電源部の出力電圧が低下し、第１の電圧に至った場合に、前記表示部における表示を禁止する表示禁止部と、前記表示部による表示が禁止された後、前記充電検出部による判定結果および前記電圧検出部による検出結果が所定の条件を満たしたとき、初期化処理を行う初期化部とを備えたことを特徴とする電子機器を提供する。
この電子機器においても、必ず表示部の表示が消えてから、初期化処理が行われるので、ユーザが知らないうちに初期化が行われるという事態を避けることができる。
好ましい態様において、前記初期化部は、前記表示部による表示が禁止された後、前記電源部が充電されていることが前記充電検出部により判定され、かつ、前記電圧検出部によって検出される前記電源部の出力電圧が前記第１の電圧以上の第２の電圧に至った場合に初期化処理を行う。
また、別の好ましい態様において、前記初期化部は、前記表示部による表示が禁止された後、前記電源部が充電されていることが前記充電検出部により検出され、かつ、前記電圧検出部によって検出される前記電源部の出力電圧が前記第１の電圧以上の第２の電圧以上であるという条件が所定時間以上満たされたとき、初期化処理を行う。
これら２つの態様のいずれかにおいて、前記初期化部によって前記初期化処理が行われるときに前記表示部による表示を再開する表示許可部を設けてもよい。
あるいは、このような表示許可部の代わりに、前記初期化部によって前記初期化処理が行われた後、前記電圧検出部によって検出される前記電源部の出力電圧が前記第２の電圧以上の第３の電圧に至った場合に前記表示部による表示を再開する表示許可部を設けてもよい。
以上掲げた電子機器の諸態様において、好ましくは電子機器は、システム情報あるいは時計情報を記憶し、前記電子機器の制御部に提供する情報記憶部を備え、前記第２の電圧は、前記情報記憶部において、前記システム情報あるいは前記時計情報を記憶保持することが可能な電圧以上の電圧に設定される。
あるいは、以上掲げた電子機器の諸態様において、好ましくは電子機器は、システム情報あるいは時計情報を記憶する不揮発性記憶部と、システム情報あるいは時計情報を記憶し、前記電子機器の制御部に提供する書換可能な情報記憶部とを備え、前記初期化部は、前記不揮発性記憶部から前記情報記憶部に前記システム情報あるいは時計情報を転送することにより前記初期化処理を行う。
また、この発明は、充電可能な電源部と、前記電源部から電力の供給を受けて表示を行う表示部とを備えた電子機器の制御方法において、前記電源部の出力電圧が第１の電圧に至った場合に、前記表示部による表示を禁止し、前記電源部の出力電圧が前記第１の電圧よりも低い第２の電圧に至った場合に初期化処理を行い、前記電源部の出力電圧が前記第２の電圧に至った後、前記第１の電圧以上の第３の電圧に至った場合に前記表示部による表示を再開させることを特徴とする電子機器の制御方法を提供する。
また、この発明は、充電可能な電源部と、前記電源部から電力の供給を受けて表示を行う表示部とを備えた電子機器の制御方法において、前記電源部の出力電圧が低下し第１の電圧に至った場合に、前記表示部による表示を禁止し、前記表示部による表示が禁止された後、前記電源部が充電されており、かつ、前記電源部の出力電圧が前記第１の電圧以上の第２の電圧に至った場合に初期化処理を行うとともに前記表示部による表示を再開させることを特徴とする電子機器の制御方法を提供する。
また、この発明は、充電可能な電源部と、前記電源部から電力の供給を受けて表示を行う表示部とを備えた電子機器の制御方法において、前記電源部の出力電圧が第１の電圧に至った場合に、前記表示部による表示を禁止し、前記表示部による表示が禁止された後、前記電源部が充電されており、かつ、前記電源部の出力電圧が前記第１の電圧以上の第２の電圧以上であるという条件が所定時間以上満たされたとき初期化処理を行うとともに前記表示部による表示を再開させることを特徴とする電子機器の制御方法を提供する。